(57)【要約】【課題】使用が簡単で携帯の利便性に優れたケーブル自動巻き取り装置を提供すること。【解決手段】ハウジングを有する。該ハウジングに把持部材を旋接し、該把持部材の一端に突起体を設ける。該ハウジングの中枢部に備える把持部材の下方に回転盤を設け、該回転盤に渦巻きバネを内設し、該回転盤内部にケーブルを設ける。該ケーブルの一端または両端に連結部材に連結する。さらに、該ハウジングは把持部材の付近場所に制御部材を設ける。該制御部材の一端はハウジング外部に突き出しておく。【選択図】図３
0003126849.tif 000002
【実用新案登録請求の範囲】
【請求項１】
一種のケーブル自動巻き取り装置において、
ハウジングを具備し、
該ハウジングは第１、第２ケーシングより組み合わせて構成し、
第２ケーシングに該ハウジングに把持部材を枢支し、
該把持部材の一端に突起体を設け、
ハウジング内部に制御部材を設け、
該制御部材の一端はハウジングより突き出し、他端は把持部材と対向して設け、
ハウジング内部に回転盤を設け、
該回転盤の表面に斜め案内溝と円弧形切欠きとを形成し、
前記回転盤の内部に渦巻きバネを設け、
前記回転盤の周りにケーブルを配置し、
前記斜め案内溝と円弧形切欠きの組み合わせによりケーブルを繰り出すと、段階的な逆戻り防止の係止め作用により所定の位置に一時的に固定でき、制御部材を押して制御部材を把持部材に係止して把持部材の位置を変更することにより、把持部材の突起体を拘束から解放して、回転盤の外部に繰り出されたケーブルを回転盤に巻き戻すことを可能に構成したことを特徴とする、
ケーブル自動巻き取り装置。
【請求項２】
請求項１において、該ケーブルの中間部分は回転盤に取り付けることを特徴とする、ケーブル自動巻き取り装置。
【請求項３】
請求項１において、第１ケーシングは外部に突き出して軸棒を設け、該軸棒は回転盤の旋接に備える、該軸棒は軸方向に沿って、軸棒貫通する切込溝を設け、該切込溝は渦巻きバネの締結に備えることを特徴とする、ケーブル自動巻き取り装置。
【請求項４】
請求項１において、制御部材は元来の位置に戻すための戻りバネを設けることを特徴とする、ケーブル自動巻き取り装置。
【考案の詳細な説明】
【技術分野】
【０００１】
本考案はケーブル自動巻き取り装置に関し、より詳細には把持部材と制御部材の組み合わせにより、必要な長さに繰り出したケーブルを所定の位置で一時的に固定できると共に、制御部材を押して把持部材を移動させてケーブルを一気に巻き戻し可能なケーブル自動巻き取り装置に関するものである。
【背景技術】
【０００２】
通常のケーブル巻き取り装置は、主にケース体を有していて、該ケース体に回転する線軸を設け、該ケース体の上部に別途の透明のケース体を設ける。
線軸を回転することによりケーブルを線軸に巻き付けて、ケーブルを巻き戻ししている。
しかしながら、使用するときにはケース体を開けなければならない。
一方、線軸の周りは平坦状であり、コイルを係止する装置がない。
よって、巻き数が多いときは、ケーブルが線軸より抜け出す現象がしばしば発生する。
さらに、利用者の必要により、該ケーブル巻き取り装置に収納したケーブルの繰り出し長さを調節することができず、また一定の位置に停留する機能もなく、使用の不便さを感じる。
【考案の開示】
【考案が解決しようとする課題】
【０００３】
前記した欠点を改善するため、図１Ａ、１Ｂおよび図１Ｃに示す、一種のケーブル巻き戻し装置が知られている。
この装置はハウジングを有し、該ハウジングに回転盤を設け、該回転盤に渦巻きバネを設ける。該回転盤にケーブルを巻き付ける。該ケーブルの一端または両端に連結部材と接続する。該回転盤に溝部を設け、該溝部に把持部材を設け、該把持部材の一端はハウジングに旋設する。該溝部の付近場所に斜め案内溝を設け、把持部材の移動を斜め案内溝と組み合わせることにより、ケーブルを一定距離に繰り出すと、逆戻り防止の係止機能があって、一時的に固定できる（図１Ｂ）。
一方、ケーブルをもう一度引っ張ることにより、掛止機能を解除してケーブルを自動的に巻き戻すことができる（図１Ｃ）。
【０００４】
この種の装置は、ケーブルを自動的に巻き戻すことができるが、不注意でケーブルにタッチすると、ケーブルが直ちに巻き戻されるため、理想な装置とは言えない。
【０００５】
さらに、もう一種のケーブル巻き取り装置は、主に突き出して設けたボタンを押すことにより、ケーブルを巻き戻すことができる。
この種の装置はケーブルを不用意に巻き戻す欠点を防止できるが、ケーブルを巻き戻すときは、ボタンをずっと押し続けなければならない。途中でボタンを放すと、ケーブルの巻き戻しが中止されるため、使用にあたっては依然不便さを感じる。
【課題を解決するための手段】
【０００６】
本考案は前記した公知技術の欠点に鑑みて成されたもので、公知技術の欠点を解消するためになされたものである。
【０００７】
該装置にハウジングを設け、該ハウジングに回転盤を旋接し、該回転盤に渦巻きバネを内設する。ケーブルを該回転盤に巻き付け該ケーブルの一端または両端に連結部材と連結する。さらに、該回転盤に溝部を設け、該溝部に把持部材を設けて、該把持部材の一端はハウジングに旋設する。該溝部の付近場所に斜め案内溝と円弧形切欠きを設け、把持部材の移動と斜め案内溝との組み合わせ動作により、ケーブルを一定距離に繰り出すと、段階的な逆戻り防止の係止め働きにより、所在する位置に一時固定できる。該ハウジングはさらに、制御部材を設け、該制御部材の一端をケース体外部に突き出して、他端は把持部材と対立状を形成する。これにより、制御部材を押すことにより、制御部材を把持部材に係止めて、把持部材の位置を改変することにより、把持部材の突起体は制限から解放し、回転盤外部に露出していたケーブルを回転盤に巻き戻すことができる。使用は簡単のほか、収納もきわめて便利な、一種のケーブル自動巻き取り装置を提供することを本考案の一つの目的である。
【０００８】
該制御部材に戻りバネを設け、制御部材は押す力量から離れた後、戻りバネの働きにより、従来の位置に戻すことのできる、一種のケーブル自動巻き取り装置を提供することを本考案もう一つの目的である。
【０００９】
すなわち、本願の第１考案は、一種のケーブル自動巻き取り装置において、ハウジングを具備し、該ハウジングは第１、第２ケーシングより組み合わせて構成し、第２ケーシングに該ハウジングに把持部材を枢支し、該把持部材の一端に突起体を設け、ハウジング内部に制御部材を設け、該制御部材の一端はハウジングより突き出し、他端は把持部材と対向して設け、ハウジング内部に回転盤を設け、該回転盤の表面に斜め案内溝と円弧形切欠きとを形成し、前記回転盤の内部に渦巻きバネを設け、前記回転盤の周りにケーブルを配置し、前記斜め案内溝と円弧形切欠きの組み合わせによりケーブルを繰り出すと、段階的な逆戻り防止の係止め作用により所定の位置に一時的に固定でき、制御部材を押して制御部材を把持部材に係止して把持部材の位置を変更することにより、把持部材の突起体を拘束から解放して、回転盤の外部に繰り出されたケーブルを回転盤に巻き戻すことを可能に構成したことを特徴とする、ケーブル自動巻き取り装置を提供する。
本願の第２考案は、前記第１考案において、該ケーブルの中間部分は回転盤に取り付けることを特徴とする、ケーブル自動巻き取り装置を提供する。
本願の第３考案は、前記第１考案において、第１ケーシングは外部に突き出して軸棒を設け、該軸棒は回転盤の旋接に備える、該軸棒は軸方向に沿って、軸棒貫通する切込溝を設け、該切込溝は渦巻きバネの締結に備えることを特徴とする、ケーブル自動巻き取り装置。
本願の第４考案は、前記第１考案において、制御部材は元来の位置に戻すための戻りバネを設けることを特徴とする、ケーブル自動巻き取り装置を提供する。
【考案を実施するための最良の形態】
【００１０】
以下、図面を参照しながら考案の一実施例にについて説明する。
【実施例】
【００１１】
図２、３に本考案に係るケーブル自動巻き取り装置の一実施例を示す。
ケーブル自動巻き取り装置はハウジング１０を有する。
該ハウジング１０は第１ケーシング１１と第２ケーシング１２を組み合わせて構成する。
そのうち、該第１ケーシング１１の片側は外部に突き出す軸棒１１１を設ける。該軸棒１１１には軸方向に沿って、かつ、貫通する切込溝１１２を設ける。該切込溝１１２にねじ孔１１２１を設ける。
該第１ケーシング１１の両側に突起棒１１３とノッチ１１４をそれぞれ設ける。
第２ケーシング１２の両側には前記突起棒１１３とノッチ１１４に対応する位置にノッチ１２１と突起棒１２２を設ける。
第２ケーシング１２はノッチ１２１と突起棒１２２、および突起棒１１３とノッチ１１４の締結により、第１ケーシング１１と一体に結合する。
【００１２】
さらに、該第２ケーシング１２に貫通孔１２３を設ける。
貫通孔１２３にねじ部材１３(本実施例においては、ねじを使用する)を通した後、第１ケーシング１１のねじ孔１１２１に締めつけて、第１、第２ケーシング１１、１２をより丈夫に結合させる。
該第２ケーシング１２にはノッチ１２４を設ける。
該ノッチ１２４には旋転稈１２５を設ける。
該旋転稈１２５に把持部材１２６を設ける。
本実施例においては、棒体を設ける。
該把持部材１２６の一端に嵌め輪１２６１を形成する。
該嵌め輪１２６１は旋転稈１２５に挿入し、他端は第１ケーシング１１方向に延ばす突起体１２６２を設けて、該把持部材１２６が旋転稈１２５を中心として、往復に振れる（揺動）ことができる(図５Ｂ)。
さらに、該ノッチ１２４にパネル１２７を被せ、該パネル１２７は把持部材１２６と旋転稈１２５の旋接端を被せる。
【００１３】
該第２ケーシング１２は一定の位置に凹み面１２８を設け、該凹み面１２８に軸棒１２９を設ける。
該軸棒１２９に戻りバネ２１を挿入する。
該戻りバネ２１の一端は回転盤３０に設け、他端は制御部材２０に掛ける。
該制御部材２０の一端をハウジング１０外部に露出し、他端は把持部材１２６と対立（対向）して設ける。
【００１４】
該ハウジング１０は軸棒１１１に挿入する回転盤３０を設け、該回転盤３０に取付孔３１を設ける。
該取付孔３１は第１ケーシング１１の軸棒１１１に旋接する。
該回転盤３０の周りに一つのケーブルダクト３２を設ける。
該回転盤３０の表面の周辺に斜め案内溝３３円弧形切欠き３４を設ける。
そのうち、円弧形切欠き３４は斜め案内溝３３の端部に連結する(図５Ａ)。
【００１５】
該回転盤３０に渦巻きバネ５０を設ける。
該渦巻きバネ５０の内側に係止め端５１を設ける。
該係止め端５１は第１ケーシング１１に備える軸棒１１１の切込溝１１２に設ける。
【００１６】
該回転盤３０の周りにケーブル６０を設ける。
該ケーブル６０はケーブルダクト３２により、回転盤３０内部に進入し、回転盤３０内部に巻き込む。
ケーブル６０の両端とも外部に繰り出すことができる。
該ケーブル６０の両端に連結部材７０をそれぞれに設ける。
本実施例においては、連結部材７０にＵＳＢソケットを用いて、利用者の携帯の便利さを提供する。
【００１７】
図２、３、４Ａ、４Ｂ、５Ａ、５Ｂ、６Ａ、６Ｂに示すとおり、利用者がケーブル６０(図４Ａ)を繰り出すと、回転盤３０は反時計方向に回転する。
溝部３３に備える把持部材１２６の突起体１２６２は斜め案内溝３３に対して、反時計方向に移動し(図５Ａ)、必要な位置に停留する(図５Ｂ)。
この動作により、把持部材１２６の突起体１２６２は渦巻きバネ５０が変形し、時計方向に移動する。
該突起体１２６２が斜め案内溝３３に移動し、斜め案内溝３３の制限受けて、把持機能を発生して固定効果を有する。
これにより、利用者はケーブル６０を必要長さに繰り出して、前記の係止機能によって、所定の位置で一時的に固定できる。
また、利用者は必要に応じてケーブル６０の繰り出し長さを制御することができる。
【００１８】
図４Ａ、４Ｂ、６Ａ、６Ｂに示すとおり、利用者はケーブル６０を巻き戻すときは(図４Ｂ)、制御部材２０を押す。
制御部材２０を押すことにより、制御部材２０はハウジング１０内部の一端が把持部材１２６に圧迫し、把持部材１２６を係り止めから解放する。
渦巻きバネ５０(図示しない)は把持部材１２６の拘束を離す。
回転盤３０も渦巻きバネ５０の働きにより、時計方向に移動し、ケーブル６０を素早く巻き戻す。
この構造は、ケーブル６０は一定の長さに繰り出した後、把持部材１２６の段階的な逆戻り防止機能の働きにより、ケーブル６０を所定の位置に固定できるほか、一定の長さに繰り出した後、制御部材２０によりケーブル６０を巻き戻すことができる。
さらに、該制御部材２０を離すと、戻りバネ２１の働きにより該制御部材２０が元の位置に復帰する。
【図面の簡単な説明】
【００１９】
【図１Ａ】公知技術のケーブルの立体分解概略図である。
【図１Ｂ】公知技術のケーブルの把持作用の概略図である。
【図１Ｃ】公知技術のケーブルの巻き戻しの作動図である。
【図２】本考案の立体概略図である。
【図３】本考案の立体分解図である。
【図４Ａ】本考案を実施するとき、ケーブルを外部に繰り出すときの作動概略図である。
【図４Ｂ】本考案を実施するとき、ケーブルを枚戻すときの立体概略図である。
【図５Ａ】本考案の把持部材と制御部材を回転盤表面に取り付ける立体概略図である。
【図５Ｂ】本考案の制御部材が把持部材に接触されていないときの平面概略図である。
【図６Ａ】本考案の制御部材が把持部材に接触されているときの立体概略図である。
【図６Ｂ】本考案の制御部材が把持部材に接触されているときの平面概略図である。
【符号の説明】
【００２０】
１０            ハウジング
１１            第１ケーシング
１１１            軸棒
１１２            切込溝
１１２１          ねじ孔
１１３            突起棒
１１４            ノッチ
１２            第２ケーシング
１２１            ノッチ
１２２            突起棒
１２３            貫通孔
１２４            ノッチ
１２５            旋転稈
１２６            把持部材
１２６１          嵌め輪
１２６２          突起体
１２７            パネル
１２８            凹み面
１２９            軸棒
１３            ねじ部材
２０            制御部材
２１            戻りバネ
３０            回転盤
３１            取付孔
３２            ケーブルダクト
３３            斜め案内溝
３４            円弧形切欠き
５０            渦巻きバネ
５１            係止め端
６０            ケーブル
７０            連結部材
【図１Ａ】
0003126849.tif 000003
【図１Ｂ】
0003126849.tif 000004
【図１Ｃ】
0003126849.tif 000005
【図２】
0003126849.tif 000006
【図３】
0003126849.tif 000007
【図４Ａ】
0003126849.tif 000008
【図４Ｂ】
0003126849.tif 000009
【図５Ａ】
0003126849.tif 000010
【図５Ｂ】
0003126849.tif 000011
【図６Ａ】
0003126849.tif 000012
【図６Ｂ】
0003126849.tif 000013